(57)【特許請求の範囲】
【請求項１】
断面が円形の手すり材を、床面との傾斜角度、及び壁面との間隔、並びに壁面に対する傾斜角度を調整可能に壁へ取り付ける壁用手すりブラケットであって、
小径穴と大径穴を連設した段付き軸穴を有し、小径穴の内周面に軸方向の全長に及ぶ溝を設けた円筒状の筒部の一端に、壁へ取り付ける座部を設けた座部材と、
前記座部材の筒部の段付き軸穴へ嵌め合わせる円柱状の軸部の一端に同軸部と直角に頭部が延設された基軸部の前記頭部の端部に段付き円板形状の係合突起が設けられ、前記係合突起の半円周ずつを抱持すると共に手すり材をも抱持する一対の抱持片、及び前記一対の抱持片を前記段付き円板形状の係合突起へ締結する締結具とで抱持部を構成した保持部材と、
前記座部材の筒部に設けたネジ穴へねじ込まれ、保持部材の前記軸部の外周面へ圧接させる押しねじとで構成され、
保持部材の前記軸部は、前記頭部とは反対側の端部の外周面に突設されて座部材の前記筒部の溝内を通過可能な突起を備えており、
座部を壁へ取り付ける座部材の筒部における軸穴及びその溝へ保持部材の軸部及び突起が嵌め合わされ、前記突起が溝を突き抜けた状態で同軸部を円周方向へ回転させて床面に対する手すり材の傾斜角度が調整され、同軸部を軸方向へ移動させて同手すり材と壁面との間隔が調整され、押しねじを筒部のネジ穴へねじ込み軸部の外周面へ圧接させて座部材の筒部と保持部材の軸部とが固定され、
保持部材の前記頭部の段付き円板形状の係合突起を抱持させた一対の抱持片を、前記係合突起に対し回転して手すり材の壁面に対する傾斜角度が調整され、締結具により一対の抱持片を締結して頭部へ固定することを特徴とする、壁用手すりブラケット。
【請求項２】
断面が円形の手すり材を、床面との傾斜角度、及び壁面との間隔、並びに壁面に対する傾斜角度を調整可能に壁へ取り付ける壁用手すりブラケットであって、
円柱状の軸部の一端に、壁へ取り付ける座部を設け、同軸部の他端の円周面に突起を設けた座部材と、
前記座部材の軸部及び突起を嵌め合せる小径穴と大径穴を連設した段付き軸穴を有し、
小径穴の内周面に軸方向の全長に及ぶ溝を設けた円筒状の筒部と、前記筒部の一端に筒部と直角に延設した頭部を設け、同頭部の端部に設けた段付き円板形状の係合突起を抱持すると共に手すり材を抱持する一対の抱持片と、同一対の抱持片を係合突起へ締結する締結具とで抱持部を構成した保持部材と、
前記保持部材の筒部に設けたネジ穴へねじ込まれ、同筒部の段付き軸穴へ嵌め合わせた座部材の軸部の外周面へ圧接させる押しねじとで構成され、
座部を壁へ取り付ける座部材の軸部及び突起へ保持部材の筒部の軸穴及び溝が嵌め合わされ、前記突起が溝を突き抜けた状態で同筒部を円周方向へ回転させて床面に対する手すり材の傾斜角度が調整され、筒部を軸方向へ移動させて同手すり材と壁面との間隔が調整され、押しねじを筒部のネジ穴へねじ込み軸部の外周面へ圧接させて保持部材の筒部と座部材の軸部とが固定され、
保持部材における前記頭部の段付き円板形状の係合突起を抱持させた一対の抱持片を、
前記係合突起に対し回転して手すり材の壁面に対する傾斜角度が調整され、締結具により一対の抱持片を締結し頭部へ固定することを特徴とする、壁用手すりブラケット。
【請求項３】
断面が円形の手すり材を、床面との傾斜角度、及び壁面との間隔、並びに壁面に対する傾斜角度を調整可能に壁へ取り付ける壁用手すりブラケットであって、
円柱状の軸部の一端に壁へ取り付ける座部を設け、同軸部の外周面に周方向及び軸方向へ広がる方形の凹部を設けた座部材と、
前記座部材の軸部を嵌め合せる軸穴を設けた円筒状の筒部と、前記筒部の一端に筒部と直角に延設した頭部と、同頭部の端部に設けた段付き円板形状の係合突起と、同係合突起を抱持すると共に手すり材を抱持する一対の抱持片と、同一対の抱持片を係合突起へ締結する締結具とで抱持部を構成した保持部材と、
前記保持部材の円筒状の筒部に設けたネジ穴へねじ込まれ座部材の前記軸部の凹部へ圧接させる押しねじとで構成され、
座部を壁へ取り付ける座部材の軸部へ保持部材の筒部の軸穴が嵌め合わされ、同筒部を円周方向へ回転させて床面に対する手すり材の傾斜角度が調整され、筒部を軸方向へ移動させて同手すり材と壁面との間隔が調整され、押しねじを筒部のネジ穴へねじ込み軸部の凹部へ圧接させて保持部材の筒部と座部材の軸部とが固定され、
保持部材における前記頭部の段付き円板形状の係合突起を抱持させた一対の抱持片を、
前記係合突起に対し回転して手すり材の壁面に対する傾斜角度が調整され、締結具により一対の抱持片を締結して頭部へ固定することを特徴とする、壁用手すりブラケット。
【請求項４】
請求項１に記載した保持部材の軸部の突起、及び請求項２に記載した座部材の軸部の突起はそれぞれ頭部の延設方向と同じ向きに設けられ、
請求項１に記載した座部材の筒部の溝、及び請求項２に記載した保持部材の筒部の溝はそれぞれ頭部の延設方向とは反対側位置に設けられていることを特徴とする、請求項１又は２に記載した壁用手すりブラケット。
【請求項５】
保持部材の頭部の係合突起を抱持する一対の抱持片は、手すり材の外周面の約１／３〜１／４円周をそれぞれ抱持して同係合突起の円周方向へ回動可能に係合され、締結具で締結することを特徴とする、請求項１〜３のいずれか一に記載した壁用手すりブラケット。
【発明の詳細な説明】
【０００１】
【発明の属する技術分野】
本発明は、断面が円形の手すり材を、床面との傾斜角度、及び壁面との間隔並びに壁面との傾斜角度を調整可能に取り付け得る壁用手すりブラケットに関する。
【０００２】
【従来の技術】
従来、この種の壁用手すりブラケットとしては、実開平７−２１８７７号公報記載の手摺用ブラケットが知られている。
上記の手摺用ブラケットは、座金と、同座金中央部の孔に嵌合する小径部と、同孔の周縁部に当接する大径部を有し、壁面に埋設固定されたアンカーボルトの螺子部に螺合する螺孔を形成した固定軸と、同固定軸の大径部から延長する螺杆部に螺合するスペーサと、同スペーサの端面に当接する笠木支持部材と、同笠木支持部材の表面側から挿通され、前記螺杆部に形成された螺孔に螺合して該笠木支持部材とスペーサとを一体化する締着ボルトから構成されている。
上記構成の手摺用ブラケットは、座金と固定軸とを別体の構造とすることにより、座金によって壁面が傷つけることがない、というものである。
【０００３】
【発明が解決しようとする課題】
手摺用ブラケットを取り付ける壁面等は必ずしも垂直とは限らない。その上、固定ビスの下穴位置の微妙なズレ等によって手すり材の芯合わせに苦労する。その為、床面との傾斜角度及び壁面との間隔を調整可能な手すりブラケットが従来から知られている。
しかし、従来の壁用手すりブラケットでは、床面との傾斜角度及び壁面との間隔を調整可能に手すり材を壁に取り付けることができるものの、壁面に対する傾斜角度まで調整可能に取り付け得る構成のものは見当たらない。それでいて構成部品が、座金、固定軸、スペーサ、笠木支持部材及び締着ボルトの５点と多い。しかも、笠木支持部材による手すり材の保持のために別異の部品を必要とする上に、手すり材を壁に取り付けるのに多大の労力を必要とする不具合がある。
【０００４】
そこで、本発明は、手すり材と床面との傾斜角度、及び壁面との間隔のみならず、手すり材と壁面との傾斜角度をも調整可能に取り付けること、そして、構成部品点数をできるだけ低減し、かつ、取り付けを容易に行える壁用手すりブラケットを提供することを目的とする。
【０００５】
【課題を解決するための手段】
上記の課題を解決するため、請求項１に記載した発明に係る壁用手すりブラケット２０は、
断面が円形の手すり材９９を、床面との傾斜角度、及び壁面との間隔Ｌ、並びに壁面に対する傾斜角度を調整可能に壁１００へ取り付ける壁用手すりブラケットであって、
小径穴２４ａと大径穴２４ｂを連設した段付き軸穴２４を有し、小径穴２４ａの内周面に軸方向の全長に及ぶ溝２５を設けた円筒状の筒部２６の一端に、壁１００へ取り付ける
座部２７を設けた座部材２１と、
前記座部材２１の筒部２６の段付き軸穴２４へ嵌め合わせる円柱状の軸部３０の一端に同軸部３０と直角に頭部３０ａが延設された基軸部３０Ａの前記頭部３０ａの端部に段付き円板形状の係合突起３１が設けられ、前記係合突起３１の半円周ずつを抱持すると共に手すり材９９をも抱持する一対の抱持片３２ａ、３２ｂ、及び前記一対の抱持片３２ａ、３２ｂを前記段付き円板形状の係合突起３１へ締結する締結具３３とで抱持部３４を構成した保持部材２２と、
前記座部材２１の筒部２６に設けたネジ穴２８へねじ込まれ、保持部材２２の前記軸部３０の外周面へ圧接させる押しねじ２３とで構成され、
保持部材２２の前記軸部３０は、前記頭部３０ａとは反対側の端部の外周面に突設されて座部材２１の前記筒部２６の溝２５内を通過可能な突起３５を備えており、
座部２７を壁１００へ取り付ける座部材２１の筒部２６における軸穴２４及びその溝２５へ保持部材２２の軸部３０及び突起３５が嵌め合わされ、前記突起３５が溝２５を突き抜けた状態で同軸部３０を円周方向へ回転させて床面に対する手すり材９９の傾斜角度が調整され、同軸部３０を軸方向へ移動させて同手すり材９９と壁面との間隔Ｌが調整され、押しねじ２３を筒部２６のネジ穴２８へねじ込み軸部３０の外周面へ圧接させて座部材２１の筒部２６と保持部材２２の軸部３０とが固定され、
保持部材２２の前記頭部３０ａの段付き円板形状の係合突起３１を抱持させた一対の抱持片３２ａ、３２ｂを、前記係合突起３１に対し回転して手すり材９９の壁面に対する傾斜角度が調整され、締結具３３により一対の抱持片３２ａ、３２ｂを締結して頭部３０ａへ固定することを特徴とする。
【０００６】
請求項２に記載した発明に係る壁用手すりブラケット４０は、
断面が円形の手すり材９９を、床面との傾斜角度、及び壁面１００との間隔、並びに壁面１００に対する傾斜角度を調整可能に壁１００へ取り付ける壁用手すりブラケットであって、
円柱状の軸部４１の一端に壁１００へ取り付ける座部４２を設け、同軸部４１の他端の円周面に突起４１ａを設けた座部材２１ａと、
前記座部材２１ａの軸部４１及び突起４１ａを嵌め合せる小径穴４３ａと大径穴４３ｂを連設した段付き軸穴４３を有し、小径穴４３ａの内周面に軸方向の全長に及ぶ溝４４を設けた円筒状の筒部４５と、前記筒部４５の一端に筒部４５と直角に延設した頭部４５ａを設け、同頭部４５ａの端部に設けた段付き円板形状の係合突起３１を抱持すると共に手すり材９９を抱持する一対の抱持片３２ａ、３２ｂと、同一対の抱持片３２ｂを係合突起３１へ締結する締結具３３とで抱持部３４を構成した保持部材２２ａと、
前記保持部材２２ａの筒部４５に設けたネジ穴４６へねじ込まれ、同筒部４５の段付き軸穴４３へ嵌め合わせた座部材２１ａの軸部４１の外周面へ圧接させる押しねじ２３とで構成され、
座部４２を壁１００へ取り付ける座部材２１ａの軸部４１及び突起４１ａへ保持部材２２ａの筒部４５の軸穴４３ａ及び溝４４が嵌め合わされ、前記突起４１ａが溝４４を突き抜けた状態で同筒部４５を円周方向へ回転させて床面に対する手すり材９９の傾斜角度が調整され、筒部４５を軸方向へ移動させて同手すり材９９と壁面１００との間隔Ｌが調整され、押しねじ２３を筒部４５のネジ穴４６へねじ込み軸部４１の外周面へ圧接させて保持部材２２ａの筒部４５と座部材２１ａの軸部４１とが固定され、
保持部材２２ａにおける前記頭部４５ａの段付き円板形状の係合突起３１を抱持させた一対の抱持片３２ａ、３２ｂを、前記係合突起３１に対し回転して手すり材９９の壁面１００に対する傾斜角度が調整され、締結具３３により一対の抱持片３２ａ、３２ｂを締結し頭部４５ａへ固定することを特徴とする。
【０００７】
請求項３に記載した発明に係る壁用手すりブラケット６０は、
断面が円形の手すり材９９を、床面との傾斜角度、及び壁面１００との間隔、並びに壁面１００に対する傾斜角度を調整可能に壁１００へ取り付ける壁用手すりブラケットであって、
円柱状の軸部６５の一端に壁１００へ取り付ける座部６６を設け、同軸部６５の外周面に周方向及び軸方向へ広がる方形の凹部６４を設けた座部材６１と、
前記座部材６１の軸部６５を嵌め合せる軸穴４３を設けた円筒状の筒部６７と、前記筒部６７の一端に筒部６７と直角に延設した頭部６７ａと、同頭部６７ａの端部に設けた段付き円板形状の係合突起３１と、同係合突起３１を抱持すると共に手すり材９９を抱持する一対の抱持片３２ａ、３２ｂと、同一対の抱持片３２ａ、３２ｂを係合突起３１へ締結する締結具３３とで抱持部３４を構成した保持部材６２と、
前記保持部材６２の円筒状の筒部６７に設けたネジ穴６８へねじ込まれ座部材６１の前記軸部６５の凹部６４へ圧接させる押しねじ６３とで構成され、
座部６６を壁１００へ取り付ける座部材６１の軸部６５へ保持部材６２の筒部６７の軸穴４３が嵌め合わされ、同筒部６７を円周方向へ回転させて床面に対する手すり材９９の傾斜角度が調整され、筒部６７を軸方向へ移動させて同手すり材９９と壁面１００との間隔Ｌが調整され、押しねじ６３を筒部６７のネジ穴６８へねじ込み軸部６５の凹部６４へ圧接させて保持部材６２の筒部６７と座部材６１の軸部６５とが固定され、
保持部材６２における前記頭部６７ａの段付き円板形状の係合突起３１を抱持させた一対の抱持片３２ａ、３２ｂを、前記係合突起３１に対し回転して手すり材９９の壁面１００に対する傾斜角度が調整され、締結具３３により一対の抱持片３２ａ、３２ｂを締結して頭部６７ａへ固定することを特徴とする。
【０００８】
請求項４に記載した発明に係る壁用手すりブラケットは、請求項１又は２に記載した壁用手すりブラケットにおいて、
請求項１に記載した保持部材２２の軸部３０の突起３５、及び請求項２に記載した座部材２１ａの軸部４１の突起４１ａはそれぞれ頭部３０ａ又は４５ａの延設方向と同じ向きに設けられ、
請求項１に記載した座部材２１の筒部２６の溝２５、及び請求項２に記載した保持部材２２ａの筒部４５の溝４４はそれぞれ頭部３０ａ又は４５ａの延設方向とは反対側位置に設けられていることを特徴とする。
【０００９】
請求項５に記載した発明に係る壁用手すりブラケットは、請求項１〜３のいずれか一に記載した壁用手すりブラケットにおいて、
頭部３０ａ、４５ａ、６７ａの係合突起３１を抱持する一対の抱持片３２ａ、３２ｂは、手すり材９９の外周面の約１／３〜１／４円周をそれぞれ抱持して同係合突起３１の円周方向へ回動可能に係合され、締結具３３で締結することを特徴とする。
【００１０】
【発明の効果】
本発明の例えば請求項１記載の壁用手すりブラケット２０の場合は、座部２７を壁１００へ取り付ける座部材２１の筒部２６における軸穴２４及びその溝２５へ保持部材２２の軸部３０及び突起３５を嵌め合わせ、同軸部３０を円周方向へ回転させて床面に対する手すり材９９の傾斜角度を調整し、また、軸部３０を軸方向へ移動させて同手すり材９９と壁面との間隔Ｌを調整でき、押しねじ２３で両者をきっちり固定できる。
そして、頭部３０ａの段付き円板形状の係合突起３１を一対の抱持片３２ａ、３２ｂにより抱持させ、且つ手すり材９９を抱持させ、前記係合突起３１に対して一対の抱持片３２ａ、３２ｂを回転することにより手すり材９９の壁面に対する傾斜角度を調整でき、締結具３３により一対の抱持片３２ａ、３２ｂを頭部３０ａへ締結して手すり材９９も固定できる。
つまり、手すり材９９の床面に対する傾斜角度と、壁面との間隔Ｌ、及び壁面に対する傾斜角度の３種を自在に、軽便に調整できるから、壁面の状態に応じて最も適切な態様に手すり材９９を取り付けることが出来る便利さがある。
勿論、取扱が容易で、誰でも熟練を要することなく使用できる便利さもある。
そして、請求項２、３記載の発明に係る壁用手すりブラケット４０、６０も同様の作用・効果を奏する。
【００１１】
【発明の実施の形態】
以下、本発明の実施形態を図面を参照して説明する。
（実施形態１）
図１〜図４および図５と図６は、請求項１に記載した発明に係る壁用手すりブラケット２０の実施形態示している。
この壁用手すりブラケット２０は、断面が円形の手すり材９９を、床面（図示せず）との傾斜角度、並びに壁１００の壁面との間隔Ｌを所要範囲内で調整可能である上に、同壁面に対する傾斜角度（例えば図２の紙面に垂直軸回りの回転角）をも調整可能に壁１００へ取り付け得る構成であり、各構成部材は合成樹脂又は金属によって形成されている。
この壁用手すりブラケット２０は、図５と図６に示したように、壁１００へ取り付けられる座部材２１と、同座部材２１の筒部２６へ嵌め合わされて、手すり材９９の中間部又は端部を保持する保持部材２２と、及び前記座部材２１と保持部材２２とを一体的に結合する押しねじ２３とで構成されている。
【００１２】
座部材２１は、図５に示すように、小径穴２４ａと大径穴２４ｂを連設した段付きの軸穴２４を有すると共に、小径穴２４ａの内周面に軸方向（図５においては左右方向）の全長に及ぶ溝２５を設けた円筒状の筒部２６と、壁１００へ取り付けるため筒部２６の大径穴２４ｂ側の端部（図５においては右端）に設けた座部２７とから構成されている。
筒部２６には、上記押しねじ２３を溝２５の底面から内方へ出没可能にねじ込むねじ穴２８が設けられている。また、座部２７の長径方向の両側位置（図４参照）には、取付けねじ等を通す複数の取付け穴２９が設けられている。
【００１３】
一方、保持部材２２は、図６に分解して示すように、上記座部材２１の筒部２６の小径穴２４ａへ図３のように嵌め込む円柱状の軸部３０と、同軸部３０一端（図６においては左端）に軸部３０と直角な向きに延設され先端側を大径部に形成した頭部３０ａと、前記頭部３０ａの大径側端部に設けた段付き円板状の係合突起３１とで構成した基軸部３０Ａと、手すり材９９の外周面を約２／３円周まで抱持する抱持部３４とで構成されている。
上記抱持部３４は、上記基軸部３０Ａの係合突起３１の約半円周部ずつを両側から挟み付けて周方向への回転させることが可能で、軸方向へは不動に抱持する一対の略左右対称形状をなす抱持片３２ａ、３２ｂと、及び両抱持片３２ａ、３２ｂを前記係合突起３１の直上位置で締結する締結具３３とで構成されている。
【００１４】
上記軸部３０には、上記図５の筒部２６の小径穴２４ａの内周面の軸方向に形成された溝２５内を通過可能な突起３５が、先端部の外周面に突設されている。軸部３０にはまた、手すり材９９と壁面との間隔Ｌを表示する目盛り３６が、前記突起３５から約１／４円周分を隔てた外周面に刻設されている（図３も参照）。
また、抱持部３４を構成する両抱持片３２ａ、３２ｂには、上記した基軸部３０Ａの係合突起３１を抱持する係合凹部３７が設けられている。更に、基軸部３０Ａの係合突起３１と係合させた一対の抱持片３２ａ、３２ｂを締結具３３により締結するため、一方の抱持片３２ａに通穴３８が、他方の抱持片３２ｂにはねじ穴３９が設けられている。
なお、上記一対の抱持片３２ａ、３２ｂは、図３に示した如く手すり材９９の外周面の約２／３円周を抱持する構成に限らない。約１／２円周を抱持する構成で実施してもよい。
【００１５】
この壁用手すりブラケット２０は、座部材２１の筒部２６における小径穴２４ａおよびその溝２５へ、保持部材２２の軸部３０とその突起３５を嵌め合わせ、軸部３０及び突起３５を軸穴２４の大径穴２４ｂ内に位置させることにより、座部材２１と保持部材２２が、筒部２６と軸部３０の軸線を中心として全周にわたり相対的に回動可能に、しかも軸部３０が不用意に抜け出る事故の心配がない状態に組み合わされる。
そして、図３に示すように、筒部２６に対し軸部３０を大径穴２４ｂの長さの範囲内で相対的に移動（壁面に対して接近・離反）させて、実線と２点鎖線とで示したように、壁面に対する手すり材９９の間隔Ｌを調整することができる。
更に、係合突起３１へ両外側から抱持させた一対の抱持片３２ａ、３２ｂの通穴３８からねじ穴３９へ締結具３３をねじ込み緩く締結することにより、抱持部３４（一対の抱持片３２ａ、３２ｂ）は、係合突起３１の延設方向の軸線回りに全周にわたり回動可能となる。しかも一対の抱持片３２ａ、３２ｂに手すり材９９を抱持させるので、前記の回動により壁面に対する手すり材９９の傾斜角度（図３の垂直中心線回りの回転角度）を調整可能である。締結具３３を強く締結することにより一対の抱持片３２ａ、３２ｂ及び手すり材９９を係合突起３１へ固定できる。
【００１６】
上記の壁面に対して手すり材９９を接近または離反させた間隔Ｌは、前記軸部３０の目盛３６を確認して調整できる。また、軸部３０を回すことにより、手すり材９９の床面に対する傾斜角度を調整できる。そして、押しねじ２３を軸部３０の外周面へ圧接することにより、座部材２１と保持部材２２を一体的に結合する機能を兼ねて、前記の調整内容を確定できる。
一方、一対の抱持片３２ａ、３２ｂを締結具３３によりきつく締結することにより、保持部材２２の係合突起３１と一対の抱持片３２ａ、３２ｂとが一体的に結合され、手すり材９９の支持も行われる。また、前記締結具３３をきつく締結する前に、保持部材２２の図２に示す回転角（実線と２点鎖線の図示を参照）、即ち、壁面に対する手すり材９９の傾斜角度も調整して固定できる。
よって、従来のものに比べて、壁１００及び床面に対する手すり材９９の取り付け態様の広範で自在な調整が可能である。それでいて壁への取り付けを容易に行うことができ、かつ、手すり材９９の壁面及び床に対する傾斜角度を調整することができる。
【００１７】
（実施形態２）
次に、図７は、上記図１〜図６に基づいて説明した実施形態１の壁用手すりブラケット２０とは、座部材と保持部材の軸部、筒部の関係が逆転した構成の実施形態２を分解状態で示している。
上述した実施形態１は、図５、図６のとおり、座部材２１を筒部２６と座部２７とで構成し、保持部材２２は基軸部３０Ａと抱持部３４とで構成し、座部材２１の筒部２６へ保持部材２２の軸部３０を嵌め合わせる構成とした。
これに対し、図７の壁用手すりブラケット４０は、座部材２１ａを、円柱状の軸部４１と、同軸部４１の一端側（図７においては右端側）に設けた座部４２とで構成し、軸部４１には、突起４１ａを図７において左端の外周面に突設した。
一方、保持部材２２ａは、座部材２１ａの軸部４１を嵌め合わせる小径穴４３ａと大径穴４３ｂを、小径穴４３ａが右端側となるように連設した段付きの軸穴４３を有し、小径穴４３ａの内周面に軸方向の全長に及ぶ溝４４を設けた筒部４５と、同筒部４５の他端側に筒部４５と直角に延設された頭部４５ａへ抱持部３４を設けて構成した。筒部４５には、小径穴４３ａの内周面へ押しねじ２３を出没可能にねじ込むねじ穴４６を設け、軸部４１を筒部４５へ嵌め合わせる構成である。
その他の構成及び作用効果は、上記実施形態１とほぼ同様であるので、同一の構成部材等には同一の符号を付して、その説明を省略する。
【００１８】
（実施形態３）
図８は、本発明による壁用手すりブラケットの実施形態３を、分解状態で示している。  この壁用手すりブラケット６０は、上記図７に示した実施形態１、２と同様に、断面が円形の手すり材を床面に対する傾斜角度、壁面との間隔、及び壁面に対する傾斜角度を所要範囲内で調整可能に壁へ取り付けるものであり、各構成部材は合成樹脂又は金属により形成されている。
この壁用手すりブラケット６０は、壁に取り付ける座部材６１と、座部材６１の軸部６５を嵌め合わせて手すり材９９の中間部又は端部を保持させる保持部材６２と、座部材６１と保持部材６２を一体的に結合する押しねじ６３とで構成されている。
座部材６１は、上記図７の実施形態２と同様に、円柱状を呈し、外周面に周方向及び軸方向へ広がる方形の凹部６４を設けた軸部６５と、壁へ取り付けるため軸部６５の一端側（図８において右端側）に設けた座部６６とで構成されている。軸部６５には、手すり材と壁面との間隔を表示するための目盛（図示せず）が、前記凹部６４とは反対側の外周面に刻設されている。また、座部６６には、取付けねじ等を通す複数の取付け穴（図示せず）が例えば図４と同様に設けられている。
一方、保持部材６２は、座部材６１の軸部６５を嵌め込む円筒状の筒部６７と、同筒部６７の他端側（図８においては左端側）に筒部６７と直角に延設された頭部６７ａへ、上記図７の実施形態２と同様に抱持部３４を設けて構成した。筒部６７には、座部材６１の軸部６５を嵌め込む軸穴４３を設け、同軸穴４３の内周面へ出没可能に押しねじ６３をねじ込むねじ穴６８を設け、軸部６５を筒部６７の軸穴４３へ嵌め合わせる構成である。
【００１９】
上記構成の壁用手すりブラケット６０は、座部材６１の軸部６５を保持部材６２の筒部６７の軸穴４３へ嵌め合わせ、押しねじ６３を軸部６５の凹部６５内へ突出させることにより、座部材６１と保持部材６２は、軸部６５と筒部６７の中心軸回りに、凹部６４の周方向の広がりの範囲内で相対的に回動させ、また、軸部６５と筒部６７の軸線上を凹部６４の軸方向の広がりの範囲内で相対的に移動（接近・離反）させて、手すり材の床面に対する傾斜角度、及び壁面からの間隔を調整可能に構成され、押しねじ６３を強くねじ込むことにより座部材６１と保持部材６２の軸部６５が一体的に結合される。
また、頭部６７ａの係合突起３１へ係合させた一対の抱持片３２ａ、３２ｂを、締結具３３により緩く締結することにより、保持部材６２の抱持部３４が、その延設方向の軸線回りに全周にわたり回動可能となり、手すり材の壁面に対する傾斜角度を調整できる。
その上で、一対の抱持片３２ａ、３２ｂを締結具３３によりきつく締結することにより、頭部６７ａの係合突起３１と一対の抱持片３２ａ、３２ｂとが一体的に結合される。
よって、上記実施形態１又は２とほぼ同様の作用、効果を奏する。
【００２０】
なお、座部材６１の軸部６５と、保持部材６２の筒部６７を嵌合する構成に限らない。図５と図６に示す上記実施形態１のように、座部材を筒部で構成し、保持部材の軸部を前記筒部へ嵌め合わせる構成で実施してもよい。
【００２１】
本発明の壁用手すりブラケットは、上述した５種類の部材で構成される。そして、係合突起へ一対の抱持片を締結具により緩く締結することにより、保持部材の保持部が、その延設方向の軸線回りに全周にわたり回動可能に構成される。
従って、例えば、手すり材を取り付ける壁面が出っ張って不揃いであっても、壁面に対する手すり材の傾斜角度を調整して延設可能であるほか、コーナーに沿って手すりを這わせずに、１壁面とそれと直角に続く壁面とへショートカットをして手すりを設置したり、１壁面に這わされた手すり材の端部位置に取り付けられない場合には、それと直角に続く壁面側に取り付ける事も可能なので、手すりの設置場所及び設置態様の自由度が広がる。
【図面の簡単な説明】
【図１】本発明に係る壁用手すりブラケットの実施形態を示す正面図である。
【図２】図１の手すりブラケットを壁面へ取り付けた状態の平面図である。
【図３】手すりブラケットを壁面へ取り付けた状態の右側面図である。
【図４】手すりブラケットの背面図である。
【図５】前記手すりブラケットを構成する座部材の右側面図である。
【図６】前記手すりブラケットを構成する保持部材の分解した右側面図である。
【図７】壁用手すりブラケットの実施形態２を分解して示す右側面図である。
【図８】壁用手すりブラケットの実施形態３を分解して示す右側面図である。
【符号の説明】
２０ 壁用手すりブラケット
２１      座部材
２１ａ    座部材
２２      保持部材
２２ａ    保持部材
２３      押しねじ
２４      軸穴
２４ａ    小径穴
２４ｂ    大径穴
２５      溝
２６      筒部
２７      座部
３０      軸部
３１      係合突起
３２ａ    抱持片
３２ｂ    抱持片
３４      保持部
３４ａ    保持部
３５      突起
４１      軸部
４１ａ    突起
４２      座部
４３      軸穴
４３ａ    小径穴
４３ｂ    大径穴
４４      溝
４５      筒部
６１      座部材
６２      保持部材
６３      押しねじ
６４      凹部
６５      軸部
６６      座部
６７      筒部
【図１】
0005033284.tif 000002
【図２】
0005033284.tif 000003
【図３】
0005033284.tif 000004
【図４】
0005033284.tif 000005
【図５】
0005033284.tif 000006
【図６】
0005033284.tif 000007
【図７】
0005033284.tif 000008
【図８】
0005033284.tif 000009